(57)【特許請求の範囲】
【請求項１】
連続して交互に設けられた複数の踏み面構造部及び蹴込み面構造部と前記蹴込み面構造部の上端から前方に突設された段鼻部とを有する階段構造体と、階段用シートと、から構成され、
前記階段用シートが、１つの踏み面構造部及びこれに続く段鼻部を含む１つの蹴込み面構造部を少なくとも覆う蹴込み面及び踏み面を有し且つ１枚のシート状物から構成されたシート本体と、前記踏み面の横方向に延びる複数の長状凸部であって、前記踏み面の表面よりも凹んだ凹部によって形成された複数の長状凸部と、を備え、
１つの長状凸部からなる又は２つ以上の長状凸部が連なって並設された第１凸部領域と、２つ以上の長状凸部が隙間を有して連なって並設された第２凸部領域と、を有し、
前記第１凸部領域が、前記踏み面の前端部に配置され、
前記第２凸部領域が、前記第１凸部領域よりも上方の蹴込み構造部側に配置されており、
前記第１凸部領域と第２凸部領域の間に、前記長状凸部の頂部よりも低い間隙部が設けられており、
前記間隙部の幅が、前記第２凸部領域における各長状凸部の間の隙間の幅よりも大きく、
前記第２凸部領域の各長状凸部の頂部が前記踏み面の表面と同一平面上となるように、前記第２凸部領域の各長状凸部が形成されており、
前記階段用シートが、１つの踏み面構造部から段鼻部に沿いつつ蹴込み面構造部にまで固着されていることを特徴とする階段構造。
【請求項２】
前記間隙部における色彩又は模様の少なくとも何れか一方が、前記第１凸部領域における長状凸部の色彩又は模様と異なっている請求項１に記載の階段構造。
【請求項３】
前記第１凸部領域の長状凸部の断面形状が、前記第２凸部領域の長状凸部のそれよりも大きい、請求項１又は２に記載の階段構造。
【請求項４】
前記階段用シートが、発泡層を有する、請求項１〜３のいずれかに記載の階段構造。
【請求項５】
前記第１凸部領域の長状凸部の断面形状と前記第２凸部領域の長状凸部の断面形状が、略半円状である請求項１〜４のいずれかに記載の階段構造。
【発明の詳細な説明】
【技術分野】
【０００１】
本発明は、一般住宅、マンション、オフィスビルなどの各種構造物の階段構造に関し、さらに詳しくは、歩行者が滑り落ちにくく改良された階段構造に関する。
【背景技術】
【０００２】
従来、階段昇降時に歩行者が滑らないような階段構造が提供されている。
例えば、特許文献１には、踏み面の内側から外縁にかけてケミカルエンボスの深さが漸増するエンボス同調模様を有する階段構造が開示されている。
かかる階段構造は、意匠性に優れ、さらに、ノンスリップ性を有する。
【０００３】
ところで、一般に、階段を上がるときよりも階段を降りるときに、歩行者の足裏が踏み面上を滑り易い。階段を降りているときに足裏が踏み面上にて滑ると、足裏が踏み面の前端部を越えて下方へ至り、その結果、歩行者が階段から落ちてしまう。
この点、上記特許文献１の階段構造は、踏み面の中央部に複数のエンボス凸部が形成されているが、この踏み面の中央部で足裏が滑る場合があり、一旦、足裏が滑り始めるともはやその滑りを止めることができず、足裏が踏み面の前端部を越えて下方に落ちるおそれがある。
【先行技術文献】
【特許文献】
【０００４】
【特許文献１】特開２００２−３４９０３６号公報
【発明の概要】
【発明が解決しようとする課題】
【０００５】
本発明の目的は、歩行者が滑り落ちにくく工夫された階段構造を提供することである。
【課題を解決するための手段】
【０００６】
本発明の階段構造は、連続して交互に設けられた複数の踏み面構造部及び蹴込み面構造部と前記蹴込み面構造部の上端から前方に突設された段鼻部とを有する階段構造体と、階段用シートと、から構成され、前記階段用シートが、１つの踏み面構造部及びこれに続く段鼻部を含む１つの蹴込み面構造部を少なくとも覆う蹴込み面及び踏み面を有し且つ１枚のシート状物から構成されたシート本体と、前記踏み面の横方向に延びる複数の長状凸部であって、前記踏み面の表面よりも凹んだ凹部によって形成された複数の長状凸部と、を備え、１つの長状凸部からなる又は２つ以上の長状凸部が連なって並設された第１凸部領域と、２つ以上の長状凸部が隙間を有して連なって並設された第２凸部領域と、を有し、前記第１凸部領域が、前記踏み面の前端部に配置され、前記第２凸部領域が、前記第１凸部領域よりも上方の蹴込み構造部側に配置されており、前記第１凸部領域と第２凸部領域の間に、前記長状凸部の頂部よりも低い間隙部が設けられており、前記間隙部の幅が、前記第２凸部領域における各長状凸部の間の隙間の幅よりも大きく、前記第２凸部領域の各長状凸部の頂部が前記踏み面の表面と同一平面上となるように、前記第２凸部領域の各長状凸部が形成されており、前記階段用シートが、１つの踏み面構造部から段鼻部に沿いつつ蹴込み面構造部にまで固着されている。
【０００７】
本発明の好ましい階段構造は、前記間隙部における色彩又は模様の少なくとも何れか一方が、前記第１凸部領域における長状凸部の色彩又は模様と異なっている。
【０００８】
本発明の更に好ましい階段構造は、前記第１凸部領域の長状凸部の断面形状が、前記第２凸部領域の長状凸部のそれよりも大きい。
本発明の更に好ましい階段構造は、前記階段用シートが、発泡層を有する。
【０００９】
本発明の更に好ましい階段構造は、前記第１凸部領域の長状凸部の断面形状及び前記第２凸部領域の長状凸部の断面形状が、それぞれ略半円状である。
【発明の効果】
【００１０】
本発明の階段構造は、第１凸部領域と第２凸部領域の間に凹んだ間隙部が設けられているので、歩行者が階段から滑落することを効果的に防止できる。
また、間隙部における色彩又は模様が長状凸部のそれと異なっている階段構造によれば、間隙部を視覚的に見分け易くなるので、歩行者が踏み面の前端部の位置を認識し易い。このため、歩行者が踏み面を誤って踏み外すような事態を未然に防止できる。
【図面の簡単な説明】
【００１１】
【図１】本発明の１つの実施形態の階段構造を示す断面を含む概略斜視図。
【図２】図１の断面部分を拡大した一部省略拡大断面図。
【図３】階段用シートの平面図。
【図４】階段用シートの長状凸部が設けられた部分の拡大平面図。
【図５】図３のＶ−Ｖ線で切断した一部省略拡大断面図。
【図６】本発明の他の実施形態の階段構造を示す一部省略拡大断面図。
【図７】他の実施形態の階段用シートを示す平面図。
【図８】本発明の他の実施形態の階段構造を示す概略斜視図。
【発明を実施するための形態】
【００１２】
以下、本発明について図面を参照しつつ説明する。
なお、本明細書において、「上方」は、階段を登っていく側を、「下方」は、これと反対に階段を降りていく側を、「前方」は、蹴込み面から離れる側を、「後方」は、これと反対に蹴込み面に近づく側を、「横方向」は、上下方向と前後方向に直交する方向を、それぞれ意味する。
【００１３】
図１及び図２に示すように、本発明の階段構造１０は、上方及び下方の蹴込み面２１，２２と、上方及び下方の蹴込み面２１，２２の間に設けられた踏み面３１と、踏み面３１の横方向に延び、且つ前記踏み面３１から突設された複数の長状凸部６１１，６２１と、を備える。
蹴込み面２１，２２及び踏み面３１は、交互に連続して設けられている。上方及び下方の蹴込み面２１，２２は、通常、踏み面３１に対して略直交して設けられている。もっとも、上方の蹴込み面２１及び下方の蹴込み面２２が踏み面３１に対して鈍角状又は鋭角状に交わるように設けられていてもよい。
【００１４】
本実施形態では、階段構造１０は、複数の踏み面構造部４３，４３と複数の蹴込み面構造部４２，４２が連続して交互に設けられた段状の階段構造体と、その表面に固着され且つ複数の長状凸部６１１，６２１が突設された階段用シート５と、から構成されている。従って、踏み面３１は、踏み面構造部４３の表面に対応する階段用シート５の表面から構成され、蹴込み面２１は、蹴込み面構造部４２の表面に対応する階段用シート５の表面から構成されている。
階段構造体は、木板の組み合わせ構造体、コンクリート構造体などの公知の構造物である。
なお、階段用シート５は、粘着テープ、接着剤、粘着剤、コーキング剤などからなる貼着層９を介して階段構造体に固着できる。中でも、簡易に固着できる粘着テープが好適に使用できる。
【００１５】
１つの階段用シート５は、１つの踏み面構造部４３とこれに続く下方の１つの蹴込み面構造部４２を覆っている。そして、複数の階段用シート５，５が順次固着されることによって、段状の階段構造体の表面の略全体が階段用シート５で覆われている。１つの階段用シート５が、１つの踏み面構造部４３とこれに続く１つの蹴込み面構造部４２を覆うように構成されていると、階段用シート５が施工時に扱いやすい長さとなる上、階段用シート５を適切な長さに切断することで様々な大きさの階段構造体にも施工でき、さらに、途中に踊り場や屈曲階段などの箇所にも施工できる。
【００１６】
ただし、１つの階段用シート５は、１つの踏み面構造部４３とこれに続く下方の１つの蹴込み面構造部４２を覆うことができるように構成されている場合に限られず、１つの踏み面構造部４３とこれに続く上方の１つの蹴込み面構造部４２を覆うことができるように構成されていてもよいし、或いは、２以上の踏み面構造部４３とこれに続く２以上の蹴込み面構造部４２を覆うことができるように構成されていてもよい。このように２以上の踏み面構造部４３及び蹴込み面構造部４３を１つの階段用シート５で覆うように構成すると、一度の作業で複数段の施工を行うことができるので作業効率が良い上、階段用シート５の継ぎ目が少なくなるので構造的にも安定する。
【００１７】
なお、図１及び図２の例では、踏み面構造部４３の前端部が、下方の蹴込み面構造部４２の上端から前方に少し突設されている、一般に段鼻部とも呼ばれる構造を有するが、これに限定されず、踏み面構造部４３の前端において、踏み面構造部４３と下方の蹴込み面構造部４２が略直交状に曲がって連設されていてもよい。
【００１８】
また、複数の階段用シート５は、図２に示すように、踏み面構造部４３の後方端部における踏み面構造部４３と蹴込み面構造部４２の境界部で接合されている。踏み面構造部４３の後方端部は、階段を昇降する人の足が接触しにくく、昇降による負荷もかかり難い箇所であるので、接合箇所としては最も望ましい。
【００１９】
また、接合形式としては、図２に示すように、上方の踏み面構造部４３に固着された階段用シート５の下端部が下方の踏み面構造部４３の表面に当接し、且つ当該下方の踏み面構造部４３に固着された階段用シート５の後端部が前記上方の踏み面構造部４３に固着された階段用シート５の表面に当接するような接合形式が望ましい。このように接合することにより、各シート５の継ぎ目部が、階段を昇ってくる歩行者の、目視可能な角度から外れるので、階段構造の美観が向上する。
【００２０】
階段用シート５は、図３〜図５に示すように、シート本体５１と、このシート本体５１の表面から一体的に突設された１つの長状凸部６１１からなる第１凸部領域６１と、このシート本体５１の表面から一体的に突設された２つ以上の長状凸部６２１，６２１が連なって並設された第２凸部領域６２と、を有し、前記第１凸部領域６１と第２凸部領域６２の間には、前記第１凸部領域６１の長状凸部６１１の頂部６１１ａよりも低い間隙部７が設けられている。
【００２１】
第１凸部領域６１が設けられていることによって、階段を降りる際に第１凸部領域６１の長状凸部６１１に足先を掛けることで滑落を効果的に防止することが可能となる。また、第２凸部領域６２が設けられていることによって、階段昇降時に、複数の長状凸部６２１が歩行者の足裏に当接するので、防滑効果を奏する。
【００２２】
第１凸部領域６１及び第２凸部領域６２における各長状凸部６１１，６２１は、図３からも判るように、何れも、シート本体５１の略中央部においてその横方向全体に延び、且つその表面から上方に突設されている。このように各長状凸部６１１，６２１を略中央部に設けることによって、第１凸部領域６１を踏み面構造部４３の前端部上面に配置した際に、各階段用シート５の接合箇所を踏み面構造部４３の後方端部に位置させることができる上、踏み面構造部４３と蹴込み面構造部４２の長さが異なる場合でも、シート本体５１の片側、又は両側面を切断することによって、適した長さに調整して階段用シート５を施工できる。
【００２３】
また、図４に示すように、第１凸部領域６１は、第２凸部領域６２から所定の距離Ｗ３を隔てて配置されている。前記距離Ｗ３は、第１凸部領域６１における長状凸部６１１の後方の基部６１１ｂから、第２凸部領域６２における長状凸部６２１の前方の基部６２１ａまでの長さを意味している。前記距離Ｗ３は、間隙部７の幅に相当する。第１凸部領域６１と第２凸部領域６２の間には、間隙部７が設けられており、長状凸部６１１と長状凸部６２１は、間隙部７を介して対向している。
【００２４】
第１凸部領域６１と第２凸部領域６２が間隙部７を有して隔てられていることにより、第１凸部領域６１を足先で感得しやすくなっている。このため、階段降下時に足先で第１凸部領域６１を感得することにより、踏み面３の前端部を確認することができるので、より安全に階段を降下することができる。特に、素足歩行時には、第１凸部領域６１の凸形状を効果的に感得することができるので、素足での歩行が多い家庭内において本発明を実施した場合に有効である。また、第１凸部領域６１の凸形状の感得は、目視によらずに行う事ができるので、周辺が暗い場合や視力低下時など、階段の目視が困難な場合でも有効である。
【００２５】
前記距離Ｗ３は、特に限定されないが、２．０ｍｍ〜１０．０ｍｍが好ましい。前記距離Ｗ３が余りに小さいと実質的に間隙部７が設けられず、一方、距離Ｗ３が余りに大きいと足裏の滑り防止効果及び上記足先での凸部感得効果を十分に奏しないおそれがある。
【００２６】
第２凸部領域６２における複数の長状凸部６２１は、僅かな隙間７１を有して並設されている。つまり、複数の凸部が並設される場合には、必然的に各凸部間に凹部が生じるので、第２凸部領域６２における複数の長状凸部６２１は、それらの間に僅かな隙間７１を有して並設されている。例えば、第２凸部領域６２における複数の長状凸部６２１間の隙間７１は、略等しい。
【００２７】
第２凸部領域６２における１つの長状凸部６２１の後方の基部６２１ｂと隣の長状凸部６２１の前方の基部６２１ａの間の隙間７１の幅Ｗ２は、０〜２．０ｍｍが好ましく、０．１〜１．５ｍｍがより好ましく、０．１〜１．０ｍｍがさらに好ましい。前記隙間７１の幅Ｗ２が０である場合には、第２凸部領域６２における１つの長状凸部６２１の後方の基部６２１ｂと隣の長状凸部６２１の前方の基部６２１ａが隙間無く一致している。
前記隙間７１の幅Ｗ２が０の場合であっても、連続する複数の長状凸部６２１の摩擦力によって防滑性を確保することができるが、幅Ｗ２が０．１ｍｍ以上であると摩擦力に加えて足裏に対するグリップ力が加わるので、防滑性が向上する。一方、前記隙間７１の幅Ｗ２が２．０ｍｍを超えると、第２凸部領域６２において複数の長状凸部６２１が離れすぎて、足裏に対するグリップ力を効果的に発揮できず、防滑性が低下するおそれがある。
【００２８】
第２凸部領域６２における長状凸部６２１の数は、２以上であれば特に限定されない。本実施形態では、第２凸部領域６２においては、５つの長状凸部６２１が突設され且つ前後方向に連なって並設されている。
また、前記距離Ｗ３は第２凸部領域６２における各長状凸部６２１の間の隙間７１の幅Ｗ２よりも大きい。
【００２９】
第１凸部領域６１における長状凸部６１１の幅Ｗ１は、特に限定されないが、３．０ｍｍ〜１０．０ｍｍが好ましい。前記幅Ｗ１は、長状凸部６１１の前方の基部６１１ａから後方の基部６１１ｂまでの長さを意味する。前記幅Ｗ１が余りに小さいと、第１凸部領域６１による防滑効果や凸部感得性が低下する場合がある上、長状凸部６１１の断面形状が細長くなり過ぎて強度が低下する虞がある。一方、前記幅Ｗ１が余りに大きいと、長状凸部６１１が所定の高さの場合、相対的に長状凸部６１１の頂部６１１ｃが平坦状になり、第１凸部領域６１による防滑効果や足先での凸部感得性が低下する場合がある。
【００３０】
また、第２凸部領域６２における各長状凸部６２１の幅は、特に限定されないが、３．０ｍｍ〜１０．０ｍｍが好ましい。各長状凸部６２１の幅が広すぎると、防滑性が低下する虞があり、一方、狭すぎると防滑性が低下する虞がある上、強度が不足する場合がある。
【００３１】
図５は、階段用シート５を図３に示すＶ−Ｖ線で切断し、各長状凸部付近を拡大した断面図である。図５に示すように、第１凸部領域６１と第２凸部領域６２の間における間隙部７は、第１凸部領域６１及び第２凸部領域６２における各長状凸部６１１，６２１の頂部６１１ｃ、６２１ｃよりも低い。つまり、この間隙部７は、長状凸部を基準とすると、それに反して凹部とされている。さらに、間隙部７は、前記第１凸部領域６１の長状凸部６１１の前方の基部６１１ａよりも低くなるように構成されている。
【００３２】
間隙部７の高さをこのように構成することによって、階段降下時の第１凸部領域６１による防滑効果を向上させることができる。また、間隙部７と第１凸部領域６１の長状凸部６１１の高低差により、第１凸部領域６１の配置を足先で感得しやすくなり、より安全に階段を降下することができるようになる。特に、素足歩行時には、第１凸部領域６１の凸形状を間隙部７によって効果的に感得することができるようになる。
【００３３】
前記間隙部７の深さＨ２は、特に限定されないが、０．５ｍｍ〜１．６ｍｍが好ましい。前記深さＨ２は、第１凸部領域６１における長状凸部６１１の頂部６１１ｃから後方の基部６１１ｂまでの長さを意味する。前記間隙部７の深さＨ２が余りに小さいと、第１凸部領域６１の長状凸部６１１と第２凸部領域６２の長状凸部６２１が実質的に繋がるので、間隙部７が形成されず、前述のような第１凸部領域６１の防滑性向上効果や感得性向上効果を得ることができない。一方、間隙部７の深さＨ２が余りに大きいと、足裏の滑り防止効果を十分に奏しないおそれがある。
【００３４】
両領域６１，６２における各長状凸部６１１，６２１の断面形状は特に限定されないが、足裏が触れたときの感触に優れ且つ足裏の滑りを効果的に防止できることから、略半円状であることが好ましい。即ち、長状凸部の断面形状を略半円状とすることによって、素足で歩行した際に、優れた感触と足裏の滑り止効果を合わせ持つことが可能となるので、本発明を建造物の室内、特に、素足での歩行が多い家庭内において実施した場合に、有効である。
【００３５】
また、本実施形態では、第１凸部領域６１における長状凸部６１１と第２凸部領域６２における各長状凸部６１２は、略同形且つ略同大に形成されている。
もっとも、両領域６１，６２における各長状凸部６１１，６２１の高さ、幅及び断面積などの断面形状は、異なっていてもよいし、或いは、何れかの長状凸部の断面形状が少し大きくてもよい。特に、第１凸部領域６１の長状凸部６１１の形状を大きくすることにより、上述した階段降下時の防滑効果や凸形状の感得性を高めることが可能となる。
さらに、第１凸部領域６１及び第２凸部領域６２における各長状凸部６１１，６２１は、シート本体５１の略中央部に設けられる場合に限定されず、シート本体５１の何れか一方の端部に寄った位置に設けられていてもよい。
【００３６】
図５に示すように、第１凸部領域６１における長状凸部６１１の突出高さＨ１は、特に限定されないが、０．３ｍｍ〜１．６ｍｍが好ましい。前記突出高さＨ１は、長状凸部６１１の頂部６１１ｃから前方の基部６１１ａまでの長さを意味する。前記突出高さＨ１が余りに小さいと実質的に凸部になり得ず、滑り防止効果や凸部の感得性が低くなる。一方、突出高さＨ１が余りに大きいと、階段昇降時に歩行者の感触が悪くなる上、人が踏むことによって長期間荷重が加わると長状凸部６１１が経時的に潰れるおそれがある。また、突出高さＨ１が大きいと、表層材の厚みが同一のシートを用いた場合、相対的に長状凸部６１１の強度が低下する場合がある。
【００３７】
第２凸部領域６２における各長状凸部６２１の突出高さは、特に限定されないが、０．３ｍｍ〜１．６ｍｍが好ましい。各長状凸部６２１の突出高が低すぎると、防滑性が低下する虞があり、一方、高すぎると感触が悪くなる上、強度が不足する場合がある。
前記第２凸部領域６２における各長状凸部６２１の頂部６２１ｃは、図５に示すように、前記踏み面５１の表面と同一平面上とされている。
【００３８】
階段用シート５の材質や層構成は、上記複数の長状凸部６１１，６２１が突設された本体層を有していれば特に限定されない。この本体層は、好ましくは弾性を有する。長状凸部６１１，６２１が突設された本体層が弾性を有していれば、長状凸部の足裏に対するグリップ力が高まり、又、衝撃緩和性、クッション性、及び防音性に優れる。
本実施形態では、シート本体５１は、下方から順に、裏面層と、発泡シートからなる本体層と、装飾層と、表面層と、から構成されている。もっとも、本発明の階段用シート５は、この層構成に限定されず、例えば、裏面層と本体層と装飾層から構成されていてもよいし、本体層と装飾層から構成されていてもよい。
【００３９】
裏面層としては、例えば、無機繊維（ガラスなど）又は合成繊維の不織布、織布、編み物などのような繊維強化シート、ゴムなどの滑止め材などを用いることができる。
裏面層として不織布が用いられる場合には、目付け量が５０〜３００ｇ／ｍ２の不織布を用いることが好ましい。不織布の目付け量が少なすぎると、階段用シート５の寸法安定性や強度が低下するおそれがあり、不織布の目付け量が大きすぎると、本体層とのアンカー効果による結合力が低下して層間剥離を起こすおそれがある。
【００４０】
発泡層（本体層）としては、例えば、ポリ塩化ビニル、ポリウレタン、エチレン酢酸ビニル共重合体、ポリプロピレン、ポリエチレンなどを含む公知の合成樹脂製発泡層を用いることができる。
発泡層の形成方法としては、例えば、発泡剤を添加した樹脂組成物を押出機またはカレンダーロールなどから裏面層上に積層した後、加熱炉や加熱ロールに通してこれを発泡させる方法；発泡剤を添加した樹脂組成物を発泡させながら裏面層上に積層する方法；発泡剤を添加した樹脂組成物から未発泡シートを成形した後、加熱ロールなどに通して発泡シートを得る方法などが挙げられる。
【００４１】
発泡層に上記長状凸部６１１，６２１を形成する方法としては、エンボスロールを用いて発泡層の表面を押圧するメカニカルエンボス法；発泡剤を含む樹脂組成物を部分的に模様状に印刷塗工して発泡面を浮き上がらせるロータリスクリーン法、発泡抑制剤を用いて部分的に発泡を抑制するケミカルエンボス法などが挙げられる。
【００４２】
中でも、ケミカルエンボス法は、装飾層の形成を同時に行え、簡易にエンボスを形成できることから、長状凸部を形成するのに適している。ケミカルエンボス法は、例えば、発泡抑制剤を含むデザインインキと発泡抑制剤を含まないデザインインキを用いた印刷シートを装飾層として用いることによって長状凸部を形成する方法である。なお、ケミカルエンボス法によって長状凸部６１１，６２１を形成する場合には、第２凸部領域６２における長状凸部６１１間の隙間７１、及び第１凸部領域６１と第２凸部領域６２の間の間隙部７に対応する部分に、発泡抑制剤を塗布するか、又は発泡抑制剤が当該位置に配置された印刷シートを用いることにより、上記複数の長状凸部を形成できる。
【００４３】
発泡層の発泡倍率は特に限定されないが、経時的に圧縮され難く且つ足裏の滑りを効果的に防止するために、３倍〜７倍が好ましく、４倍〜６倍がより好ましい。
また、発泡層の厚みも特に限定されないが、衝撃緩和性及びクッション性に優れた階段構造１０を構成するために、１．０ｍｍ〜１０．０ｍｍが好ましい。
なお、発泡層の一部分が裏面層に含浸することによって両者が一体化されていてもよいし、或いは、発泡層の下面が裏面層に接着することによって両者が一体化されていてもよい。
【００４４】
装飾層としては、例えば、デザインを転写した転写層、デザインを印刷した印刷層、デザイン印刷済みのフィルム層などを用いることができる。上述のように、前記転写層又は印刷層の上記隙間７１及び間隙部７に対応する部分に発泡抑制剤を含ませておくことにより、上記複数の長状凸部６１１，６１２及び間隙部７を形成できる。
【００４５】
装飾層の色彩又は模様は、特に限定されず任意に設定できる。例えば、装飾層の色彩又は模様は、木のような色彩・模様を有する木目模様、石のような色彩・模様を有する石目模様、抽象柄などに設定できる。また、ケミカルエンボス法によって長状凸部を形成した場合、木目模様のような複雑な模様と長状凸部６１１，６２１を同一の印刷シートを用いて形成できるので、装飾層の色彩又は模様と長状凸部６１１，６２１の凸形状を同じ階段用シート５上に違和感なく形成することができる。
【００４６】
中でも、前記第１凸部領域６１と第２凸部領域６２の間の間隙部７及び第２凸部領域６２の各長状凸部６２１の隙間７１における色彩又は模様の少なくとも何れか一方が、前記第１凸部領域６１における長状凸部６１１の色彩又は模様と異ならせることが好ましく、さらに、前記間隙部７及び隙間７１における色彩又は模様の少なくとも何れか一方が、第１凸部領域６１及び第２凸部領域６２における各長状凸部６１１，６２１、並びに踏み面３１などの長状凸部が形成されていないシート本体面の部分と異ならせることがより好ましい。特に、第１凸部領域６１と間隙部７が異なる色彩、模様であると、凹凸の高低差によって、コントラスト差が高められるので、より視認性が高まり効果的である。
【００４７】
例えば、前記間隙部７に、長状凸部６１１、又は間隙部７以外の部分の色彩とは異なる着色を施すことなどが挙げられる。間隙部７の色彩又は模様を、第１凸部領域６１における長状凸部６１１などの色彩又は模様と異ならせることにより、歩行者が間隙部７を視覚的に見分け易くなるので、歩行者が踏み面３１の前端部の位置を認識し易くなる。このため、歩行者が踏み面３１を誤って踏み外すような事態を防止できる。また、間隙部７による第１凸部領域６１の感得向上によって得られる足先による感触と、第１凸部領域６１と間隙部７のコントラストによる視認性との相乗効果により、歩行者が踏み面３１の前端部の位置をより容易に認識することができるようになる。
【００４８】
歩行者が踏み面３１の前端部の位置をより容易に認識できるようにするためには、階段用シート５において、その第１凸部領域６１、間隙部７、及び第２凸部領域６２を合わせた部分の輝度が、その部分以外の踏み面部分の輝度よりも高くなるように設定することが好ましい。この輝度差により、踏み面３１の前端部の視認性がより高められる。
特に、第１凸部領域６１、間隙部７、及び第２凸部領域６２を合わせた部分の輝度Ｋ１が、その部分以外の踏み面部分の輝度Ｋ２に対して輝度比１．５以上となるように色彩を設定することが好ましい。
ただし、前記輝度比は、ＪＩＳ  Ｃ  ７６１４に準拠した方法で測定される値である。
【００４９】
表面層としては、例えば、ＰＶＣクリア層、アクリル樹脂コーティング層、ウレタン樹脂コーティング層などを用いることができる。これらは、１種単独で、または２種以上を併用してもよい。特に、ＰＶＣクリア層の上にアクリル樹脂コーティング層、又はウレタン樹脂コーティング層を重ねると、強度が高くなり、耐久性が向上するので好適である。また、表面層の厚みは、ＰＶＣクリア層の場合、通常、１００〜５００μｍ、アクリル樹脂コーティング層やウレタン樹脂コーティング層の場合、通常、５μｍ〜３０μｍである。
【００５０】
図１及び図２に示すように、第１凸部領域６１の長状凸部６１１の前方の基部６１１ａが踏み面構造部４３の前端（踏み面構造部４３と下方の蹴込み面構造部４２によって形成される角部４２１）の近傍に位置するように、上記階段用シート５を階段構造体に固着することにより、本発明の階段構造１０を構成できる。
従って、本発明の階段構造１０は、第１凸部領域６１が踏み面３１の前端部に配置され、第２凸部領域６２が第１凸部領域６１よりも上方の蹴込み面２１，２２側に配置されており、前記第１凸部領域６１と第２凸部領域６２の間に間隙部７を有する。
【００５１】
本発明の階段構造１０上を歩行者が降りるとき、複数の長状凸部６２１が並設された第２凸部領域６２が足裏をグリップする。もし、第２凸部領域６２の長状凸部６２１で足裏を保持できず、足裏が第２凸部領域６２から前方へ滑っても、足裏の指先などが第１凸部領域６１の長状凸部６１１に当たって保持されるので、足裏が踏み面３１を超えて滑り落ちることを防止できる。
【００５２】
この作用は、第１凸部領域６１と第２凸部領域６２の間に凹んだ間隙部７が設けられていることに起因すると推定される。すなわち、踏み面の前端部に複数の長状凸部が略等間隔で並設されている場合には、足裏に対するグリップ力を有するものの、一旦、足裏が前方へ滑り始めると、前記略等間隔で並設された長状凸部はもはや足裏の滑りを止めることができない。この点、第１凸部領域６１と第２凸部領域６２の間に凹んだ間隙部７が設けられている本発明によれば、足裏が第２凸部領域６２の長状凸部６２１上を前方へ滑っても、間隙部７において足裏の指先などが第１凸部領域６１の長状凸部６１１の後方面６１１ｄに当たるので、足裏の滑りを防止できる。
【００５３】
なお、本発明の階段構造は、上記実施形態に限られず、本発明の意図する範囲で様々に変更できる。
例えば、上記実施形態において、第１凸部領域６１における長状凸部は１つだけであるが、図６に示すように、第１凸部領域６１に２つ以上の長状凸部６１１，６１１が連なって並設されていてもよい。この場合、第１凸部領域６１における複数の長状凸部６１１，６１１の形成間隔（長状凸部間の隙間）は、上記第２凸部領域６２における複数の長状凸部６２１間の隙間７１と同様に設定すればよい。
【００５４】
さらに、上記実施形態においては、第１凸部領域６１及び第２凸部領域６２における各長状凸部６１１，６２１が、シート本体５１の略中央部に設けられた階段用シート５を用いているが、例えば、図７に示すように、第１凸部領域６１及び第２凸部領域６２における各長状凸部６１１，６２１が、シート本体５１’の一方の端部寄りに配置されている階段用シート５’を用いてもよい。
かかる階段用シート５’は、図８に示すように、階段構造体の踊り場や屈曲部分の踏み面構造部４３’に容易に施工できる。
【００５５】
また、上記実施形態においては、階段構造体上に階段用シート５を固着することによって階段構造１０が構成されているが、階段構造体の踏み面構造部の前端部に上記複数の長状凸部６１１，６２１及び間隙部７を直接形成してもよい。
【産業上の利用可能性】
【００５６】
本発明の階段構造は、一般住宅、集合住宅、マンション、オフィスビルなどの各種構造物に利用できる。特に、素足で歩行する場合の多い一般住宅に好適に利用できる。
【符号の説明】
【００５７】
１０…階段構造、２１，２２…蹴込み面、３１…踏み面、４２…蹴込み面構造部、４３…踏み面構造部、５…階段用シート、５１…シート本体、６１…第１凸部領域、６１１…第１凸部領域の長状凸部、６２…第２凸部領域、６２１…第２凸部領域の長状凸部、７…間隙部、７１…第２凸部領域の各長状凸部の隙間
【図１】
0005572840.tif 000002
【図２】
0005572840.tif 000003
【図３】
0005572840.tif 000004
【図４】
0005572840.tif 000005
【図５】
0005572840.tif 000006
【図６】
0005572840.tif 000007
【図７】
0005572840.tif 000008
【図８】
0005572840.tif 000009